(57)【要約】【課題】複数の撮像モードのうち、ユーザが所望の撮像モードに簡単な操作で切り替える。【解決手段】現在設定されている撮像モードが、当該撮像モードから他の撮像モードに変更可能な操作入力として所定の操作入力が関連付けられているか否かを判断する。そして、現在設定されている撮像モードに所定の操作入力が関連付けられている場合に、ユーザからなされた操作入力が所定の操作入力であるか否かを判別する。なされた操作入力が所定の操作入力であると判別された場合、撮像装置には現在設定されている撮像モードから、所定の操作入力が関連付けられている他の撮像モードが選択され、設定される。【選択図】図４
2012034296.tif 000002
【特許請求の範囲】
【請求項１】
複数の撮像モードを有する撮像装置であって、
前記複数の撮像モードのうちの１つの撮像モードを前記撮像装置に設定する設定手段と、
ユーザからの操作入力を検出する検出手段と、
前記検出手段により検出された前記操作入力が、前記撮像モードを変更する入力として設定されている第１の操作入力、及び当該第１の操作入力とは異なる第２の操作入力のいずれであるかを判別する判別手段と、
前記設定手段により現在設定されている撮像モードに、当該現在設定されている撮像モードを前記複数の撮像モードのうちの他の撮像モードに変更可能な操作入力として、前記第２の操作入力が関連付けられているか否かを特定する特定手段と、を備え、
前記設定手段は、前記特定手段により前記現在設定されている撮像モードに前記第２の操作入力が関連付けられていると特定され、かつ、前記検出手段により検出された前記操作入力が前記第２の操作入力であると前記判別手段により判別された場合、前記複数の撮像モードのうち、前記第２の操作入力が関連付けられている、前記複数の撮像モードの数よりも少ない撮像モードであって、前記現在設定されている撮像モードとは異なる他の撮像モードを選択して、前記撮像装置に設定することを特徴とする撮像装置。
【請求項２】
前記撮像装置の振動を検出する振動検出手段をさらに備え、
前記検出手段は、前記振動検出手段により所定の振動が検出された場合にユーザから前記操作入力がなされたと判断し、
前記判別手段は、前記振動検出手段により検出された前記所定の振動を前記第２の操作入力であると判別することを特徴とする請求項１に記載の撮像装置。
【請求項３】
撮像手段と、
前記撮像手段により撮像されたジェスチャを認識するジェスチャ認識手段と、をさらに備え、
前記検出手段は、前記ジェスチャ認識手段により所定のジェスチャが認識された場合にユーザから前記操作入力がなされたと判断し、
前記判別手段は、前記ジェスチャ認識手段により認識された前記所定のジェスチャを前記第２の操作入力であると判別することを特徴とする請求項１または２に記載の撮像装置。
【請求項４】
集音手段と、
前記集音手段により集音された音声を認識する音声認識手段と、をさらに備え、
前記検出手段は、前記音声認識手段により所定の音声が認識された場合にユーザから前記操作入力がなされたと判断し、
前記判別手段は、前記音声認識手段により認識された前記所定の音声を前記第２の操作入力であると判別することを特徴とする請求項１乃至３のいずれか１項に記載の撮像装置。
【請求項５】
押圧入力を検出可能な表示手段をさらに備え、
前記検出手段は、前記表示手段に所定の押圧入力がなされた場合にユーザから前記操作入力がなされたと判断し、
前記判別手段は、前記検出手段により検出された前記表示手段への前記所定の押圧入力を前記第２の操作入力であると判別することを特徴とする請求項１乃至４のいずれか１項に記載の撮像装置。
【請求項６】
前記設定手段は、前記特定手段により前記現在設定されている撮像モードに前記第２の操作入力が関連付けられていると特定され、かつ、前記検出手段により検出された前記操作入力が前記第２の操作入力であると前記判別手段により判別された場合、前記第２の操作入力が関連付けられているか否かに関わらず、オート撮像モードを前記撮像装置に設定することを特徴とする請求項１乃至５のいずれか１項に記載の撮像装置。
【請求項７】
複数の撮像モードを有する撮像装置の制御方法であって、
設定手段が、前記複数の撮像モードのうちの１つの撮像モードを前記撮像装置に設定する設定工程と、
検出手段が、ユーザからの操作入力を検出する検出工程と、
判別手段が、前記検出工程において検出された前記操作入力が、前記撮像モードを変更する入力として設定されている第１の操作入力、及び当該第１の操作入力とは異なる第２の操作入力のいずれであるかを判別する判別工程と、
特定手段が、前記設定工程において現在設定されている撮像モードに、当該現在設定されている撮像モードから前記複数の撮像モードのうちの他の撮像モードに変更可能な操作入力として、前記第２の操作入力が関連付けられているか否かを特定する特定工程と、を備え、
前記設定工程において前記設定手段は、前記特定工程において前記現在設定されている撮像モードに前記第２の操作入力が関連付けられていると特定され、かつ、前記検出工程において検出された前記操作入力が前記第２の操作入力であると前記判別工程において判別された場合、前記複数の撮像モードのうち、前記第２の操作入力が関連付けられている、前記複数の撮像モードの数よりも少ない撮像モードであって、前記現在設定されている撮像モードとは異なる他の撮像モードを選択して、前記撮像装置に設定することを特徴とする撮像装置の制御方法。
【発明の詳細な説明】
【技術分野】
【０００１】
本発明は、撮像装置が有する複数の撮像モードを切り替える技術に関する。
【背景技術】
【０００２】
撮像装置には、絞り、シャッタースピード、ホワイトバランス、感度、フラッシュなど、ユーザが設定可能な項目が多数存在する。これらの項目を様々なシーンに合わせて適切に設定するには、知識と経験が必要なだけでなく、手間が掛かる。そのため、代表的なシーンについて、そのシーンを撮像する際に好ましいと考えられる設定を関連付けた撮像モードを用意した撮像装置が知られている。ユーザは、撮像するシーンに合った撮像モードを選択することにより、複数の項目について一括して、かつシーンに向いた設定を行うことができる。具体的には、例えばポートレートモードでは絞り値が小さく設定され、背景をぼかして被写体を浮き立たせた撮像が可能で、夜景モードではシャッター速度が遅く、かつフラッシュの発光が禁止に設定され、夜景の雰囲気を壊さない撮像が可能である。
【０００３】
近年、撮像装置の小型化に伴い、撮像装置が有する操作部材の数や大きさも縮小傾向にあり、ユーザは撮像装置の設定等を変更するためには、限られた操作部材を繰り返し操作する必要がある。例えば、撮像装置が有する複数の撮像モードから１つの撮像モードを選択して撮像装置に設定するためには、ユーザは表示装置に表示されるＧＵＩを確認しながら、撮像装置の操作部材を操作する必要があった。このような限られた操作部材を用いた撮像装置の操作は、ユーザが所望の処理を完了できるまでに煩雑な操作、及び時間を要すため、近年の撮像装置には表示装置をタッチパネル式に変更する等、操作部材を用いずに操作を行う方法が提案されている。特許文献１には、加速度センサを利用することにより撮像装置の操作を行う方法が開示されている。このような操作部材を用いない等の、通常の操作方法とは異なる操作方法は、例えば雪山で手袋を装着している場合等、操作部材の操作自体が困難な状況においても有用である。
【先行技術文献】
【特許文献】
【０００４】
【特許文献１】特開２０００−１２５１８４号公報
【発明の概要】
【発明が解決しようとする課題】
【０００５】
上述のような撮像モードの変更を通常の操作方法とは異なる操作方法で行う場合は、操作の煩雑さを回避するために、撮像装置が予め備える複数の撮像モードを、順番に切り替えていく方法が用いられている。しかしながら、このような順番に撮像モードを切り替える方法を用いると、ユーザは所望の撮像モードに設定するまでに時間を要する場合があった。さらに、例えば上述したような雪山で撮像を行う際には、必要のない撮像モードに切り替わるため、ユーザは撮像モードの選択を誤ってしまう可能性もあった。
【０００６】
本発明は、上述の問題点に鑑みてなされたものであり、複数の撮像モードのうち、ユーザが所望の撮像モードに簡単な操作で切り替えることを目的とする。
【課題を解決するための手段】
【０００７】
前述の目的を達成するために、本発明の撮像装置は、以下の構成を備える。
複数の撮像モードを有する撮像装置であって、複数の撮像モードのうちの１つの撮像モードを撮像装置に設定する設定手段と、ユーザからの操作入力を検出する検出手段と、検出手段により検出された操作入力が、撮像モードを変更する入力として通常設定されている入力、及び当該通常設定されている入力とは異なる所定の操作入力のいずれであるかを判別する判別手段と、設定手段により現在設定されている撮像モードに、当該現在設定されている撮像モードを複数の撮像モードのうちの他の撮像モードに変更可能な操作入力として、所定の操作入力が関連付けられているか否かを特定する特定手段と、を備え、設定手段は、特定手段により現在設定されている撮像モードに所定の操作入力が関連付けられていると特定され、かつ、検出手段により検出された操作入力が所定の操作入力であると判別手段により判別された場合、複数の撮像モードのうち、所定の操作入力が関連付けられている、複数の撮像モードの数よりも少ない撮像モードであって、現在設定されている撮像モードとは異なる他の撮像モードを選択して、撮像装置に設定することを特徴とする。
【発明の効果】
【０００８】
このような構成により本発明によれば、複数の撮像モードのうち、ユーザが所望の撮像モードに簡単な操作で切り替えることを可能とする。
【図面の簡単な説明】
【０００９】
【図１】本発明の実施形態に係るデジタルカメラの機能構成を示すブロック図。
【図２】実施形態に係るデジタルカメラの操作方法を説明するための図。
【図３】実施形態に係る振動操作が関連付けられている撮像モードを示した図。
【図４】実施形態の撮像モード変更処理のフローチャート。
【図５】実施形態の撮像モード決定処理のフローチャート。
【発明を実施するための形態】
【００１０】
以下、本発明の好適な一実施形態について、図面を参照して詳細に説明する。なお、以下に説明する一実施形態は、撮像装置の一例としての、複数の撮像モードを有し、当該複数の撮像モードのうち１つの撮像モードを設定した撮像が可能なデジタルカメラに、本発明を適用した例を説明する。また、本明細書において「撮像モード」とは、被写体の撮像環境に応じて調整したデジタルカメラの撮像設定であり、予め複数種類用意することにより、ユーザに選択可能に提供される。撮像モードでは、例えば撮像環境に適したシャッター速度や絞り値、ストロボ発光状態、感度設定、ホワイトバランス（ＷＢ）設定等の組み合わせが設定されている。
【００１１】
図１は、本発明の実施形態に係るデジタルカメラ１００の機能構成を示すブロック図である。
制御部１０１は、例えばＣＰＵであり、デジタルカメラ１００が有する各ブロックの動作プログラムをＥＥＰＲＯＭ１０２より読み出して、ＲＡＭ１０３に展開して実行することにより、デジタルカメラ１００の各ブロックの動作を制御する。ＥＥＰＲＯＭ１０２は、書き換え可能な不揮発性メモリであり、デジタルカメラ１００の各ブロックの動作プログラムに加え、被写体の撮像環境を想定した複数の撮像モードが予め記憶されている。ＥＥＰＲＯＭ１０２に記憶されている撮像モードには、例えば次のような撮像モードがある。
【００１２】
・ポートレートモード：背景をぼかして人物を浮き立たせる
・スポーツモード：動きが早い被写体でも被写体ブレを起こしにくい
・スノーモード：雪景色を背景にしても人物が暗くならず、青の色味を残さず撮像可能
・スキーヤーモード：雪上で移動しながらであっても手ブレを起こしにくく、スノーモードと同様な撮像が可能
・夕焼けモード：シルエットを強調し、赤の色味を強調して撮像可能
・夜景モード：人物にストロボ光を照射し、背景を遅いシャッター速度で撮像
・ナイト＆スナップモード：三脚なしで夜景と人物を綺麗に撮像可能
・ナイタースノーモード：ナイターゲレンデ等の照明下の雰囲気を保ちながら、人物と雪景色を撮像可能
・スポットライトモード：スポットライトが当たった被写体を綺麗に撮像可能
・打ち上げ花火モード：打ち上げ花火を最適な露出で鮮やかに撮像可能
・水中モード：水中に最適なホワイトバランスに設定し、青の色味を抑えて撮像可能
・水上モード（ビーチモード）：太陽の反射光が強い海面や砂浜でも、人物が暗くならずに撮像可能
・自分撮りモード：撮像者の顔にレンズを向けると、撮像者の顔を認識して自動的に撮像可能
【００１３】
ユーザは、これらの撮像モードから１つの撮像モードを選択して設定することにより、所望の環境に適した撮像設定での撮像が可能になる。ＲＡＭ１０３は、書き換え可能な揮発性メモリであり、デジタルカメラ１００の各ブロックの動作において出力されたデータや設定等の一時的な記憶領域としてや、各ブロックの動作における動作領域として用いられる。
【００１４】
撮像部１０５は、例えばＣＣＤやＣＭＯＳセンサ等の撮像素子であり、撮像レンズ、焦点レンズ等で構成された光学系１０４を介して結像された光学像を光電変換し、アナログ画像信号をＡ／Ｄ変換部１０７に出力する。なお、撮像部１０５は、光学系１０４が駆動部１０６により光軸上で駆動されることにより、所望の焦点距離、ズーム位置での撮像が可能である。Ａ／Ｄ変換部１０７は、撮像部１０５より入力されたアナログ画像信号にＡ／Ｄ変換処理を行い、得られたデジタル画像データを出力する。画像処理部１０８は、Ａ／Ｄ変換部１０７が出力したデジタル画像データに信号レベル調整、画素補間、色変換、及び圧縮・伸張処理等の所定の信号処理を適用し、得られたデジタル画像データを記録媒体１１４に出力する。記録媒体１１４は、例えばデジタルカメラ１００が有する内部メモリや、デジタルカメラ１００に着脱可能に接続されるメモリカードやＨＤＤ等の記録装置であり、画像処理部１０８より出力されたデジタル画像データを記録する。
【００１５】
Ｄ／Ａ変換部１０９は、Ａ／Ｄ変換部１０７から出力されたデジタル画像データや、記録媒体１１４に記録されているデジタル画像データにＤ／Ａ変換処理を適用し、得られたアナログ画像信号を表示部１１０に出力する。表示部１１０は、例えば小型ＬＣＤ等の表示装置であり、入力されたアナログ画像信号を表示する。なお、撮像部１０５で撮像されて得られたアナログ画像信号を、Ａ／Ｄ変換部１０７及びＤ／Ａ変換部１０９を介して表示部１１０に入力して表示する（スルー表示）ことにより、表示部１１０は電子ビューファインダとして機能する。
【００１６】
操作入力部１１１は、デジタルカメラ１００をユーザが操作することにより入力された操作入力を解析し、操作された入力指示を制御部１０１に伝送する。本実施形態では、操作入力部１１１は後述するユーザＩ／Ｆ１１２及び振動検出部１１３を備え、それぞれ異なる操作入力が操作入力部１１１に入力される。ユーザＩ／Ｆ１１２は、例えばレリーズスイッチ、電源スイッチ、メニュースイッチ、選択キースイッチ等の操作部材を備え、ユーザによって操作部材が操作されると、対応する信号入力を操作入力部１１１に伝送する。振動検出部１１３は、例えば３軸の加速度センサであり、デジタルカメラ１００の姿勢や振動を検出して得られたデジタルカメラ１００の姿勢情報を操作入力部１１１に出力する。
【００１７】
なお、本実施形態のデジタルカメラ１００は、例えば手袋をしている等、撮像モードを変更するための操作として通常設定されている操作が困難な場合に、通常設定されている操作入力とは異なる操作方法によって、撮像モードを切り替え可能であるものとする。撮像モードを変更するための通常の操作方法（第１の操作入力）は、例えばメニュースイッチを押下して表示部１１０に表示されるＧＵＩメニューの中から、選択キースイッチを操作して撮像モード指定メニューを選び、決定スイッチでメニューを選択する。そしてさらに、表示部１１０に表示される撮像モードの一覧の中から選択キースイッチを操作して所望の撮像モードを選び、決定スイッチで撮像モードを選択することにより、当該選択された撮像モードに切り替えるもの等が考えられる。
【００１８】
本実施形態のデジタルカメラ１００は、上述したような操作部材の操作が困難な状況を想定して、振動検出部１１３で検出された姿勢変更動作（第２の操作入力）によってデジタルカメラ１００の操作を可能とする。例えば図２のように、撮像モードの変更操作、撮像操作、ズーム操作、再生時の画像の送り操作をそれぞれ、ユーザによってなされるデジタルカメラ１００の姿勢変更動作に割り当てる。これにより、ユーザは操作部材を操作することなくデジタルカメラ１００に様々な処理を実行させることが可能となる。以下、本実施形態では、撮像モードの変更操作を図２に示したように、ユーザがデジタルカメラ１００を上下方向に振ることにより振動検出部１１３で検出される振動操作によって実行するものとして説明する。
【００１９】
さらに、上述した操作部材の操作が困難な状況は特定の撮像環境である場合が考えられる。例えばデジタルカメラ１００を防水ケースに挿入した状態で撮像を行う場合や、スキー場等の厚手の手袋を装着した状態で撮像を行う場合等の特殊な撮像環境では、ユーザが所望する撮像モードも限られる可能性が高い。即ち、スノーモード、スキーヤーモード及びナイタースノーモード等の関連性が高い撮像モードは、撮像モードとして選択されている場合にポートレートモードや夕焼けモード等の関連性の低い撮像モードに切り替えられる可能性が低い。このため、操作部材の操作が困難な状況において、振動操作によって関連性の高い撮像モードのみに切り替え可能とすることで、ユーザは所望の撮像モードに簡単な操作で切り替えることが可能となる。本実施形態では一例として、スノーモード、スキーヤーモード、及びナイタースノーモードのいずれかが撮像モードに選択された場合に、振動操作によって当該３つの撮像モードのいずれかに切り替え可能であるものとして説明する。なお、本実施形態では制御部１０１は、振動操作に関連付けられている撮像モードを、例えばＥＥＰＲＯＭ１０２に記憶された図３のような対応切り替え操作テーブルにより判断するものとする。
【００２０】
なお、本実施形態では関連性の高い撮像モードが存在する撮像モードが設定された場合に、所定の操作入力（第２の操作入力）により他の関連性の高い撮像モードに切り替え可能として説明するが、本発明の実施はこれに限らない。即ち、関連性の高い撮像モードに限らず、所定の操作入力により切り替え可能な撮像モードとして予め設定されている撮像モード間で切り替え可能であればよい。また、ユーザが切り替え可能な複数の撮像モード及び所定の操作入力を設定可能であってもよい。
【００２１】
（撮像モード変更処理）
このような構成をもつ本実施形態のデジタルカメラ１００の撮像モード変更処理について、図４のフローチャートを用いて具体的な処理を説明する。当該フローチャートに対応する処理は、制御部１０１が、例えばＥＥＰＲＯＭ１０２に記憶されている対応する処理プログラムを読み出し、ＲＡＭ１０３に展開して実行することにより実現することができる。なお、本撮像モード変更処理は、例えばデジタルカメラ１００の電源がユーザによってＯＮ状態にされた際に開始されるものとして説明する。
【００２２】
Ｓ４０１で、制御部１０１は現在のデジタルカメラ１００の状態が撮像可能状態であるか否かを判断する。本実施形態のデジタルカメラ１００は、撮像部１０５を起動して撮像を行う撮像可能状態と、記録媒体１１４に記録されているデジタル画像データの閲覧を行う再生状態と、記録媒体１１４に記録されているデジタル画像データを転送する転送モードとを有する。制御部１０１はデジタルカメラ１００の状態が、撮像可能状態であった場合は処理をＳ４０２に移し、撮像可能状態ではなかった場合は処理をＳ４０７に移す。
【００２３】
Ｓ４０２で、制御部１０１は現在設定されている撮像モードの情報を取得し、現在設定されている撮像モードが振動操作に関連付けられているか否かを、ＥＥＰＲＯＭ１０２に記憶されている対応切り替え操作テーブルを参照して特定する。制御部１０１は、現在設定されている撮像モードが振動操作に対応している（関連付けられている）場合は処理をＳ４０３に移し、現在設定されている撮像モードが振動操作に対応していない場合は処理をＳ４０４に移す。なお、制御部１０１は、取得した現在設定されている撮像モードの情報を、例えば対応切り替え操作テーブルの当該撮像モードのＩＤとしてＲＡＭ１０３に記憶するものとする。
【００２４】
Ｓ４０３で、制御部１０１は現在設定されている撮像モードから、振動操作により他の撮像モードに変更可能であることをＲＡＭ１０３に記憶する。なお、Ｓ４０２及びＳ４０３の処理は、少なくとも起動時または撮像モードが変更された際に実行されればよい。また、ＲＡＭ１０３に記憶された、現在設定されている撮像モードから振動操作により他の撮像モードに変更可能であることを示す情報は、撮像モードが変更された際にＲＡＭ１０３から消去されてよい。
【００２５】
Ｓ４０４で、制御部１０１は撮影モードを変更するための振動操作がなされたか否かを判断する。具体的には制御部１０１は、振動検出部１１３により検出された姿勢変更動作が、上下方向に振る振動操作であると操作入力部１１１が判別したか否かを判断する。制御部１０１は、撮影モードを変更するための振動操作がなされたと判断した場合は処理をＳ４０５に移し、撮影モードを変更するための振動操作がなされていないと判断した場合は処理をＳ４０７に移す。
【００２６】
Ｓ４０５で、制御部１０１は現在設定されている撮像モードに振動操作が関連付けられているか否かを判断する。具体的には、制御部１０１はＲＡＭ１０３に、現在設定されている撮像モードから振動操作により他の撮像モードに変更可能であることを示す情報が記憶されているか否かを判断する。制御部１０１は、現在設定されている撮像モードに振動操作が関連付けられている場合は処理をＳ４０６に移し、関連付けられていない場合は処理をＳ４０７に移す。
【００２７】
Ｓ４０６で、制御部１０１は、現在設定されている撮像モードから振動操作により変更される撮像モードを決定する、撮像モード決定処理を実行する。ここで、撮像モード決定処理について、図５のフローチャートを用いて詳細に説明する。
【００２８】
Ｓ５０１で、制御部１０１はＲＡＭ１０３を確認し、現在設定されている撮像モードのＩＤの情報を取得し、確認対象ＩＤとして新たにＲＡＭ１０３に記憶する。そして以降のＳ５０２及びＳ５０３の処理において、制御部１０１は取得した撮像モードのＩＤから、対応切り替え操作テーブルのＩＤ順に１つずつ、撮像モードに振動操作が関連付けられているか否かを判断する。
【００２９】
制御部１０１は、Ｓ５０２で確認対象ＩＤに１を加算する。そして制御部１０１は、Ｓ５０３でＥＥＰＲＯＭ１０２に記憶されている対応切り替え操作テーブルにおいて、確認対象ＩＤの撮像モードが振動操作に関連付けられているか否かを判断する。制御部１０１は、確認対象ＩＤの撮像モードが振動操作に関連付けられている場合は処理をＳ５０４に移し、関連付けられていない場合は処理をＳ５０２に戻し、次の撮像モードの判断を行う。
【００３０】
Ｓ５０４で、制御部１０１は確認対象ＩＤを現在設定されている撮像モードのＩＤとしてＲＡＭ１０３に記憶するとともに、振動操作に関連付けられている、確認対象ＩＤの撮像モードの撮像設定をＥＥＰＲＯＭ１０２より読み出す。そして制御部１０１は、新たに選択された撮像モードの撮像設定に基づいてデジタルカメラ１００の各ブロックの設定の変更、及び各ブロックの動作を制御する。これにより、デジタルカメラ１００は新たな撮像モードが設定される。
【００３１】
このようにして振動操作に関連付けられた撮像モードのうち、現在設定されていない他の撮像モードに切り替えた後、制御部１０１は処理をＳ４０９に移す。なお、本実施形態では振動操作に関連付けられた撮像モードが現在設定されている場合、スノーモード→スキーヤーモード→ナイトスノーモード→スノーモードの順に切り替える。しかしながら本実施形態の撮像モード決定処理は、所定の操作入力（振動操作）に関連付けられた撮像モードを切り替えるための処理の一例であり、撮像モードの切り替える順序や所定の操作入力により切り替える撮像モードの決定方法はこれに限らない。例えば、所定の操作入力に関連付けられている撮像モードのみをテーブルで管理する場合は、撮像モードが所定の操作入力に関連付けられているか否かを順番に確認する処理は必要なく、所定の操作入力が関連付けられた他の撮像モードに切り替え可能となる。
【００３２】
Ｓ４０７で、制御部１０１は、撮影モードを変更するための振動操作以外のその他の操作入力がなされたか否かを判断する。具体的には制御部１０１は、ユーザＩ／Ｆ１１２により検出された、デジタルカメラ１００が備える操作部材に対する操作による操作入力、あるいは撮影モードを変更するため以外の振動操作のいずれかがなされたと操作入力部１１１が判別したか否かを判断する。制御部１０１、振動操作以外のその他の操作入力がなされたと判断した場合は処理をＳ４０８に移し、その他の操作入力がなされていないと判断した場合は処理をＳ４０９に移す。
【００３３】
Ｓ４０８で、制御部１０１は、入力された撮影モードを変更するための振動操作以外のその他の操作に対応した処理を実行する。例えばその他の操作が、デジタルカメラ１００の操作部材を操作することによってなされる、通常の撮像モードの変更操作であった場合は、制御部１０１は次のように処理すればよい。即ち制御部１０１は、選択された撮像モードのＩＤを現在設定されている撮像モードのＩＤとしてＲＡＭ１０３に記憶するとともに、選択された撮像モードの撮像設定をＥＥＰＲＯＭ１０２より読み出す。そして制御部１０１は、新たに選択された撮像モードの撮像設定に基づいてデジタルカメラ１００の各ブロックの設定の変更、及び各ブロックの動作を制御し、デジタルカメラ１００には新たな撮像モードが設定される。通常の撮像モードの変更操作では、操作部材のボタンなどにより順次撮影モードを選択する場合には、水中モード→スノーモード→スキーヤーモード→自分撮りモード→ポートレートモード→…→ナイトスノーモード→水中モードの順に切り替える。また、切り替え可能な複数の撮影モードを表示部１１０に一覧表示し、タッチパネルによるタッチ操作や、十字キーなどの方向ボタンにより所望の撮影モードを選択させて切り替える構成としてもよい。
【００３４】
Ｓ４０９で、制御部１０１はデジタルカメラ１００の電源をＯＦＦ状態にする操作入力がなされたか否かを判断する。具体的には、制御部１０１はユーザＩ／Ｆ１１２により検出された操作入力が、電源をＯＦＦ状態にする操作入力であると操作入力部１１１が判別したか否かを判断する。制御部１０１は、なされた操作入力が電源をＯＦＦ状態にする操作入力である場合は処理を完了し、ＯＦＦ状態にする操作入力ではない場合は処理をＳ４０１に戻す。
【００３５】
なお、振動操作がなされた場合に、所定の順序で撮像モードを切り替える方法について説明したが、例えば振動操作の方向をさらに特定し、それぞれの方向で撮像モードの切り替える順序を昇順、降順に切り替えてもよい。また、本実施形態では振動操作によって撮像モードを切り替える方法について説明したが、本発明の実施はこれに限らず、様々な操作入力を撮像モードに関連付ける所定の操作入力としてよい。即ち、例えば撮像された時系列のデジタル画像データを解析することにより、被写体が行った所定のジェスチャを認識した場合に撮像モードを切り替えてもよい。また、集音したユーザの音声指示を解析することにより、所定の音声が認識された場合に撮像モードを切り替えてもよい。さらには、表示部１１０が押圧入力を検出可能なタッチパネルセンサを備える場合、操作入力部１１１が所定の押圧入力（ジェスチャ操作やタップ操作等）がなされたと検出した場合に、制御部１０１は撮像モードを切り替えてもよい。
【００３６】
また、本実施形態では撮像モードを変更する操作入力として通常設定されている操作入力とは異なる操作入力が１種類の場合について説明したが、本発明の実施はこれに限らない。即ち、デジタルカメラ１００が有する複数の撮像モードには、例えば上述したようなジェスチャ認識や音声認識等の所定の操作入力のそれぞれについて、撮像モードに関連付けられてもよい。このとき、現在設定されている撮像モードに関連付けられている操作入力が複数関連付けられていた場合、なされた操作入力によって、異なる撮像モード群内で撮像モードを変更可能としてよい。
【００３７】
なお、特に目的とする撮像環境が限定されていないオート撮像モードは、全ての撮像環境において選択される可能性が高いため、所定の操作入力に関連付けられていなくとも所定の操作入力によって選択可能としてもよい。
【００３８】
以上説明したように、本実施形態の撮像装置は、撮像モードを変更する入力として通常設定されている第１の操作入力とは異なる第２の操作入力がなされた場合、第２の操作入力に関連付けられている撮像モード間で撮像モードを変更することが可能である。具体的には、撮像装置は現在設定されている撮像モードが、当該撮像モードから他の撮像モードに変更可能な操作入力として第２の操作入力が関連付けられているか否かを判断する。そして、現在設定されている撮像モードに第２の操作入力が関連付けられている場合に、ユーザからなされた操作入力が第２の操作入力であるか否かを判別する。なされた操作入力が第２の操作入力であると判別された場合、撮像装置には現在設定されている撮像モードから、第２の操作入力が関連付けられている他の撮像モードが選択され、設定される。
【００３９】
このようにすることで、例えば操作部材を操作することが困難な状況であっても、ユーザは第２の操作入力が関連付けられている撮像モードに簡単な操作で切り替えることが可能である。さらに、第２の操作入力が関連付けられている撮像モードの数を、撮像装置が有する撮像モードの数よりも少なくすることで限られた撮像モードのみで撮像モードを変更可能であり、ユーザを撮像モードの設定に係る煩雑な操作から開放することができる。
なお、制御部１０１の制御は１つのハードウェアが行ってもよいし、複数のハードウェアが処理を分担することで、装置全体の制御を行ってもよい。
【００４０】
また、本発明をその好適な実施形態に基づいて詳述してきたが、本発明は上述した特定の実施形態に限られるものではなく、この発明の要旨を逸脱しない範囲の様々な形態も本発明に含まれる。
【００４１】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2012034296.tif 000003
【図２】
2012034296.tif 000004
【図３】
2012034296.tif 000005
【図４】
2012034296.tif 000006
【図５】
2012034296.tif 000007